(57)【要約】【課題】階調信号に対する演算処理回路の複雑化を抑制するとともに、種々の原因によって生じる印加電圧波形の歪みによる表示階調のズレを抑制する【解決手段】印加電圧の実効値に応じた階調表示を行う複数の画素を備えた表示パネル用の駆動装置は、複数の画素を順次繰り返し選択しつつ、選択画素に対して表示すべき階調に応じた電圧を印加する信号電極駆動回路２０及び走査電極駆動回路３０と、選択画素に対して印加される電圧をモニタする電圧モニタ回路４０と、モニタ結果に基づいて、信号電極駆動回路２０によって印加する信号電圧のパルス幅又は振幅を補正する電圧補正回路５０とを備える。【選択図】図１
2007264317.tif 000002
【特許請求の範囲】
【請求項１】
印加電圧の実効値に応じた階調表示を行う複数の画素を備えた表示パネル用の駆動装置において、
前記複数の画素を順次繰り返し選択しつつ、選択画素に対して表示すべき階調に応じた電圧を印加する電圧印加手段と、
選択画素に対して印加される電圧をモニタする電圧モニタ手段と、
前記電圧モニタ手段によるモニタ結果に基づいて、前記電圧印加手段によって印加する電圧を補正する電圧補正手段とを備えることを特徴とする表示パネル用駆動装置。
【請求項２】
前記電圧補正手段は、同一画素に関する隣接する選択期間において同一階調が表示される場合に、先の選択期間における前記電圧モニタ手段によるモニタ結果に基づいて、後の選択期間において前記電圧印加手段によって印加する電圧を補正することを特徴とする請求項１に記載の表示パネル用駆動装置。
【請求項３】
前記電圧モニタ手段は、選択画素に対して印加された電圧の実効値を算出するとともに、表示すべき階調に対して予め設定された理想実効値と前記算出した実効値とを比較することにより、前記電圧補正手段における電圧の補正値を決定することを特徴とする請求項２に記載の表示パネル用駆動装置。
【請求項４】
前記電圧モニタ手段は、階調信号の示す各階調値に対して予め設定された理想実効値を記憶する記憶手段を備えることを特徴とする請求項３に記載の表示パネル用駆動装置。
【請求項５】
前記電圧補正手段は、電圧の振幅を補正することを特徴とする請求項１から４の何れか１項に記載の表示パネル用駆動装置。
【請求項６】
前記電圧補正手段は、電圧のパルス幅を補正することを特徴とする請求項１から５の何れか１項に記載の表示パネル用駆動装置。
【請求項７】
請求項１から６の何れか１項に記載の表示パネル用駆動装置と、
単純マトリクス駆動の表示パネルとを備えることを特徴とする表示装置。
【請求項８】
前記表示パネルは、互いに交差する位置に画素を形成するそれぞれ複数の走査電極及び信号電極を備え、
前記電圧モニタ手段は、前記各信号電極に印加された電圧をモニタすることを特徴とする請求項７に記載の表示装置。
【請求項９】
前記表示パネルは、互いに交差する位置に画素を形成するそれぞれ複数の走査電極及び信号電極を備え、
前記電圧モニタ手段は、前記各走査電極に印加された電圧をモニタすることを特徴とする請求項７に記載の表示装置。
【請求項１０】
前記表示パネルは、互いに交差する位置に画素を形成するそれぞれ複数の走査電極及び信号電極を備え、
前記電圧モニタ手段は、選択された走査電極に対する前記各信号電極の電圧をモニタすることを特徴とする請求項７に記載の表示装置。
【請求項１１】
請求項１から６の何れか１項に記載の表示パネル用駆動装置と、
アクティブマトリクス駆動の表示パネルとを備えることを特徴とする表示装置。
【請求項１２】
前記表示パネルは、互いに交差する位置に画素を形成するそれぞれ複数の走査電極及び信号電極を備え、
前記電圧モニタ手段は、前記各信号電極に印加された電圧をモニタすることを特徴とする請求項１１に記載の表示装置。
【発明の詳細な説明】
【技術分野】
【０００１】
本発明は、印加電圧の実効値に応じた階調表示を行う複数の画素を備えた表示パネル用の駆動装置、及びこれを備えた表示装置に関するものである。
【背景技術】
【０００２】
従来、単純マトリクス駆動の液晶表示装置では、いわゆるクロストークの発生が問題となっており、クロストークによる影響を低減するための方策が検討されている。
【０００３】
クロストークの発生原因の１つとして、走査信号の電圧歪み（クロストークノイズ）がある。これは、信号電極での信号電圧のスイッチングの影響が、液晶素子を介して容量結合している走査電極における走査電圧に及ぶことによって発生するものである。
【０００４】
上記クロストークを抑制するために、特許文献１に開示された技術では、階調信号における階調値を計数し、計数結果に基づいて印加電圧のパルス幅やパルス高さを補正する構成を採用している。
【０００５】
すなわち、上記技術では、全ての階調の階調パルスの変化による走査信号への影響度を４レベルに分類し、各レベルに対して重み付け値を定義しておく。そして、選択されている走査電極に係る全ての画素に書き込まれる階調に関し、各階調の属するレベルに応じた重み付け値の合計を計数している。
【０００６】
そのために、上記技術では、各階調ごとに、当該階調をデコードするためのデコーダや、当該階調がデコードされたときの重み付け値を出力する重み付け回路、論理和回路、カウンタ回路を設けている。
【特許文献１】特開平８−１６０３９２号公報（公開日１９９６年６月１２日）
【発明の開示】
【発明が解決しようとする課題】
【０００７】
しかしながら、上記従来の技術では、階調値を計数するための回路構成が複雑になるという問題を生じる。特に、階調数が多くなるとこの問題は顕著である。
【０００８】
また、上記従来の技術では、上述したクロストークノイズに起因するクロストーク、つまり、信号電極での信号電圧のスイッチングの影響が、液晶素子を介して容量結合している走査電極の走査電圧に及ぶことによって発生するクロストークに対して有効であったとしても、他の原因によって生じる印加電圧波形の歪みによる表示階調のズレについては必ずしも有効であるとはいえない。印加電圧波形の歪みを生じる他の原因としては、例えば、信号電極や走査電極に接続される負荷による印加電圧の立ち上がり、立ち下がりの鈍りなど、様々な原因が考えられる。
【０００９】
本発明は、上記の問題点に鑑みてなされたものであり、その目的は、階調信号に対する演算処理回路の複雑化を抑制するとともに、種々の原因によって生じる印加電圧波形の歪みによる表示階調のズレを抑制することにある。
【課題を解決するための手段】
【００１０】
本発明に係る表示パネル用駆動装置は、印加電圧の実効値に応じた階調表示を行う複数の画素を備えた表示パネル用の駆動装置であって、上記課題を解決するために、前記複数の画素を順次繰り返し選択しつつ、選択画素に対して表示すべき階調に応じた電圧を印加する電圧印加手段と、選択画素に対して印加される電圧をモニタする電圧モニタ手段と、前記電圧モニタ手段によるモニタ結果に基づいて、前記電圧印加手段によって印加する電圧を補正する電圧補正手段とを備えることを特徴としている。
【００１１】
上記構成の駆動装置は、例えば液晶表示パネルのように、印加電圧の実効値に応じた階調表示を行う複数の画素を備えた表示パネルを駆動して表示を行う。そのために、電圧印加手段により、複数の画素を順次繰り返し選択しつつ、選択画素に対して表示すべき階調に応じた電圧を印加する。
【００１２】
そして、上記構成では、選択画素に対して印加される電圧をモニタする電圧モニタ手段を備えるとともに、そのモニタ結果に基づいて、電圧印加手段によって印加する電圧を補正する電圧補正手段を備える。
【００１３】
これにより、印加電圧波形の歪みに起因して生じる印加電圧の実効値のズレを補正し、表示階調のズレを抑制した、より適正な表示を実現することができる。
【００１４】
また、上記構成では、上記モニタ結果に基づいて補正を行っているため、背景技術欄において説明した従来の技術、すなわち、階調信号の階調値を計数して補正量を決定するという技術とは異なり、階調値を用いた複雑な演算を必要とせず、回路構成の簡略化を図ることができる。
【００１５】
さらに、上記構成では、上記モニタ結果に基づいて補正を行っているため、信号電極での信号電圧のスイッチングの影響が走査電極における走査電圧に及ぶことによって発生するクロストークによる表示階調のズレに限らず、種々の原因によって生じる印加電圧波形の歪みによる表示階調のズレを抑制することができる。
【００１６】
本発明に係る上記表示パネル用駆動装置において、前記電圧補正手段は、同一画素に関する隣接する選択期間において同一階調が表示される場合に、先の選択期間における前記電圧モニタ手段によるモニタ結果に基づいて、後の選択期間において前記電圧印加手段によって印加する電圧を補正する構成とすることができる。
【００１７】
上記構成では、静止画を表示する場合や、動画であっても同一画面を２回以上書き込むことによって表示する場合において、同一画素に関する隣接する選択期間（時間的に隣接する選択期間）において同一階調が表示されるときに、先の選択期間におけるモニタ結果に基づいて、後の選択期間において印加する電圧を補正することができる。
【００１８】
本発明に係る上記表示パネル用駆動装置において、前記電圧モニタ手段は、選択画素に対して印加された電圧の実効値を算出するとともに、表示すべき階調に対して予め設定された理想実効値と前記算出した実効値とを比較することにより、前記電圧補正手段における電圧の補正値を決定する構成とすることができる。
【００１９】
また、前記電圧モニタ手段は、階調信号の示す各階調値に対して予め設定された理想実効値を記憶する記憶手段を備えていてもよい。
【００２０】
本発明に係る上記表示パネル用駆動装置において、前記電圧補正手段は、電圧の振幅を補正してもよく、電圧のパルス幅を補正してもよく、これら両方を補正してもよい。
【００２１】
本発明に係る表示装置は、上記の何れかの表示パネル用駆動装置と、単純マトリクス駆動の表示パネルとを備えて構成することができる。そして、前記表示パネルは、互いに交差する位置に画素を形成するそれぞれ複数の走査電極及び信号電極を備え、前記電圧モニタ手段は前記各信号電極に印加された電圧をモニタしてもよく、前記各走査電極に印加された電圧をモニタしてもよく、選択された走査電極に対する前記各信号電極の電圧をモニタしてもよい。何れの電圧をモニタするかは、表示階調に対する影響の大きさを考慮して決定すればよい。
【００２２】
あるいは、本発明に係る表示装置は、上記の何れかの表示パネル用駆動装置と、アクティブマトリクス駆動の表示パネルとを備えて構成してもよい。そして、前記表示パネルは、互いに交差する位置に画素を形成するそれぞれ複数の走査電極及び信号電極を備え、前記電圧モニタ手段は、前記各信号電極に印加された電圧をモニタすればよい。
【発明の効果】
【００２３】
本発明に係る表示パネル用駆動装置は、複数の画素を順次繰り返し選択しつつ、選択画素に対して表示すべき階調に応じた電圧を印加する電圧印加手段と、選択画素に対して印加される電圧をモニタする電圧モニタ手段と、電圧モニタ手段によるモニタ結果に基づいて、電圧印加手段によって印加する電圧を補正する電圧補正手段とを備える構成である。
【００２４】
上記構成では、印加電圧波形の歪みに起因して生じる印加電圧の実効値のズレを補正し、表示階調のズレを抑制した、より適正な表示を実現することができる。
【００２５】
また、上記構成では、上記モニタ結果に基づいて補正を行っているため、背景技術欄において説明した従来の技術、すなわち、階調信号の階調値を計数して補正量を決定するという技術とは異なり、階調値を用いた複雑な演算を必要とせず、回路構成の簡略化を図ることができる。
【００２６】
さらに、上記構成では、上記モニタ結果に基づいて補正を行っているため、信号電極での信号電圧のスイッチングの影響が走査電極における走査電圧に及ぶことによって発生するクロストークによる表示階調のズレに限らず、種々の原因によって生じる印加電圧波形の歪みによる表示階調のズレを抑制することができる。
【発明を実施するための最良の形態】
【００２７】
本発明の実施の一形態について図１から図７に基づいて説明すると以下の通りである。
【００２８】
図１に基づいて、本実施形態の液晶表示装置１の構成について説明する。液晶表示装置１は、液晶表示パネル（ＬＣＤ）１０と、信号電極駆動回路２０と、走査電極駆動回路３０と、電圧モニタ回路４０と、電圧補正回路５０とを備えている。
【００２９】
液晶表示パネル１０は、単純マトリクス駆動（パッシブマトリクス駆動）の液晶表示パネルである。この液晶表示パネル１０は、従来周知のとおり、互いに対向する基板の間に液晶層を挟持するとともに、各基板には、ストライプ状に形成された複数の信号電極（ＳＥＧ電極）１２及び走査電極（ＣＯＭ電極）１３をそれぞれ備えている。各信号電極１２と各走査電極１３とは、液晶層を介して互いに交差するように配置されており、各交差領域に画素が形成されている。
【００３０】
信号電極駆動回路２０は、パルス幅変調方式により信号電極１２を駆動するものである。すなわち、外部から入力される階調信号に基づき、階調信号の示す階調に応じたパルス幅の信号電圧を生成し、各信号電極１２に対して出力する。
【００３１】
走査電極駆動回路３０は、各走査電極１３を順次選択しつつ、選択した走査電極１３に対して走査電圧を印加するものである。
【００３２】
信号電圧及び走査電圧と、これらの差である画素への印加電圧との関係を図２のタイミングチャートに示す。なお、図２では、信号電圧のパルス幅を一定として図示しているが、実際には階調信号に基づいてパルス幅が変化する。これにより、図２におけるｏｎ期間及びｏｆｆ期間の長さが変化する。各画素は、印加電圧の実効値（図２において斜線を付した領域の面積に相当する。）に応じた階調表示を行うことになる。
【００３３】
電圧モニタ回路４０は、各信号電極１２に印加された信号電圧を計測することにより、信号電圧を補正するための補正値を決定するためのものである。電圧モニタ回路４０の具体的構成を図３に示す。
【００３４】
電圧モニタ回路４０は、メモリ４１と、Ａ／Ｄ変換回路４２と、積分回路４３と、比較演算回路４４とを備えている。このうち、Ａ／Ｄ変換回路４２、積分回路４３及び比較演算回路４４については、各信号電極１２それぞれに対応して１組ずつ設けられている。
【００３５】
この電圧モニタ回路４０では、Ａ／Ｄ変換回路４２により各信号電極１２の信号電圧をサンプリングしつつデジタルデータに変換し、積分回路４３により上記デジタルデータを各選択期間分積分する。これにより、各選択期間における信号電圧の実効値が算出される。なお、上記サンプリング間隔は、各選択期間に対して十分細かい間隔となるように設定されている。
【００３６】
そして、比較演算回路４４において、上記各選択期間における信号電圧の実効値と、当該選択期間において信号電圧が表示すべき階調に対して予め設定された理想実効値とを比較することにより、信号電圧を補正するための補正値を決定する。
【００３７】
上記理想実効値は、表示すべき階調ごとにあらかじめ定められてメモリ４１に記憶されている。そして、ある階調に対応する信号電圧が信号電極１２に印加されているときには、当該階調に対応する理想実効値が比較演算回路４４に出力されるようになっている。
【００３８】
そのためには、例えば、階調信号のデジタル値（６４階調表示の場合は６ビットのデジタル値）に対応するアドレスに、各階調に対応する理想実効値を記憶させておくようにすればよい。すなわち、０階調の理想実効値をアドレス「００００００」に、１階調の理想実効値をアドレス「０００００１」に、…、６４階調の理想実効値をアドレス「１１１１１１」にそれぞれ記憶させておけばよい。
【００３９】
比較演算回路４４によって決定される補正値は、信号電圧のパルス幅を調整するためのパルス幅調整値Δｔ、又は信号電圧の振幅を調整するための振幅調整値ΔＶである。
【００４０】
ここで、図４（ａ）〜図４（ｄ）に基づいて、パルス幅調整値Δｔ及び振幅調整値ΔＶについて説明する。
【００４１】
信号電圧の理想波形は、図４（ａ）に示すように振幅Ｖの矩形波形であり、選択期間（１水平期間）Ｈのうち表示すべき階調に相当する期間Ｈ’において電圧値Ｖが印加されることにより、実効電圧Ｖｅ＝Ｖ×Ｈ’／Ｈが得られる。
【００４２】
一方、実際の信号電圧の波形は、図４（ｂ）に示すように、信号電極１２に接続される負荷等の影響によって、立ち上がり及び立ち下がりが鈍った波形となる。そのため、実際の実効電圧は、理想の実効電圧に対して、図４（ｂ）における斜線部Ａの面積に相当するズレが生じる。このズレが表示階調のズレを引き起こすことになる。
【００４３】
そこで、上記斜線部Ａの面積に相当する面積を、図４（ｃ）における斜線部Ｂによって補償することとする。そのために、信号電圧の立ち上がりタイイングをαからα’へ早める。この早めるべき時間幅を示すのが上記パルス幅調整値Δｔである。
【００４４】
あるいは、上記斜線部Ａの面積に相当する面積を、図４（ｄ）における斜線部Ｂ’によって補償することとする。そのためには、信号電圧の振幅をＶからＶ’へ増加させる。この増加させるべき電圧幅を示すのが上記振幅調整値ΔＶである。
【００４５】
なお、ここでは信号電圧のパルス幅、振幅の一方によって信号電圧の波形を調整することとしているが、上記両方によって信号電圧の波形を調整してもよい。
【００４６】
比較演算回路４４においてパルス幅調整値Δｔ又は振幅調整値ΔＶを算出するためには、積分回路４３からの信号電圧の実効値と、メモリ４１からの理想実効値とを変数としてパルス幅調整値Δｔ又は振幅調整値ΔＶを算出するための関数演算をあらかじめ設定しておけばよい。あるいは、積分回路４３からの信号電圧の実効値と、メモリ４１からの理想実効値とを入力としてパルス幅調整値Δｔ又は振幅調整値ΔＶを出力するルックアップテーブルを用いてもよい。
【００４７】
続いて図１に示した電圧補正回路５０について説明する。電圧補正回路５０は、電圧モニタ回路４０から送られてくるパルス幅調整値Δｔ又は振幅調整値ΔＶに基づき、信号電極駆動回路２０を制御することにより、上記図４（ｃ）又は図４（ｄ）に基づいて説明した信号電圧の波形の調整を行う。なお、図１においては電圧補正回路５０を信号電極駆動回路２０とは別のブロックとして図示しているが、電圧補正回路５０は信号電極駆動回路２０内部に組み込まれていてもよい。
【００４８】
ここで、上記信号電圧の波形の調整は、同一階調を表示する場合に有効な調整である。そのため、電圧補正回路５０は、同一画素に関して時間的に隣接する選択期間において同一階調が表示されるか否かを判別し、同一階調が表示される場合にのみ、先の選択期間における電圧モニタ回路４０によるモニタ結果（Δｔ又はΔＶ）に基づいて、後の選択期間において信号電極駆動回路２０によって印加する信号電圧を補正する。
【００４９】
同一画素に関して時間的に隣接する選択期間において同一階調が表示される場合としては、静止画を表示している場合のほか、動画を表示している場合であっても、動画を構成するフレームレートよりも液晶表示パネル１０のフレーム周波数（リフレッシュレート）の方が大きい場合が考えられる。
【００５０】
一般に、リフレッシュレートは７５Ｈｚ（１秒間に７５回書き込み）程度又はそれ以上であり、動画を構成するフレームレートは３０ｆｐｓ（１秒間に３０フレーム）程度であるので、少なくとも同一画面が２回は書き込まれることになる。したがって、１回目の書き込みによって電圧モニタ回路４０によるモニタ結果を得て、これに基づいて２回目の書き込みにおける信号電圧の波形を調整することができる。
【００５１】
なお、同一画素に関して時間的に隣接する選択期間において同一階調が表示されない場合であっても上記補正を行うことは可能である。そのためには、電圧補正回路５０において、各階調表示によって得られたモニタ結果（Δｔ又はΔＶ）を保存しておき、次回、その階調表示を行う際に保存されたモニタ結果を用いて信号電圧の波形を調整するようにすればよい。
【００５２】
以上のように、液晶表示装置１では、電圧モニタ回路４０により、信号電極１２の信号電圧のみをモニタしている。その理由は、信号電圧は表示階調によってパルス幅が変化するため、表示階調によってはパルス幅が小さくなるので、波形の鈍りの影響が大きくなりやすいからである。
【００５３】
一方、選択画素に対して印加される電圧をより正確にモニタするために、選択された走査電極１３と各信号電極１２との間の電圧をモニタするようになっていてもよい。
【００５４】
そのためには、図５に示すように、液晶表示装置１に対して、選択された走査電極１３を電圧モニタ回路４０に対して接続するためのスイッチング回路６０を追加するとともに、電圧モニタ回路４０において各信号電極１２の電圧と、選択された走査電極１３の電圧との差を求めて各Ａ／Ｄ変換回路４２に供給する差分回路（図示せず）を追加すればよい。
【００５５】
あるいは、信号電圧では波形の鈍りがほとんど発生せず、むしろ走査電圧における波形の歪みが表示階調のズレを引き起こすような場合には、図６に示すように、走査電極１３の走査電圧のみをモニタするようにしてもよい。
【００５６】
すなわち、上記電圧モニタ回路４０の代わりに、走査電極１３の走査電圧をモニタする電圧モニタ回路４０’を設けるとともに、上記電圧補正回路５０の代わりに、電圧モニタ回路４０’からの振幅調整値ΔＶに基づいて走査電極駆動回路３０を制御することにより走査電圧の波形の調整を行う電圧補正回路５０’を設けておけばよい。
【００５７】
この場合、走査電圧の理想波形は表示階調によらず一定であるため、表示階調ごとに理想実効値を記憶しておく必要はない。
【００５８】
さらに、液晶表示装置１は、単純マトリクス駆動の液晶表示パネル１０の代わりに、アクティブマトリクス駆動の液晶表示パネル１０’を備えるものであってもよい。
【００５９】
この液晶表示パネル１０’は、従来周知のとおり、互いに対向する基板の間に液晶層を挟持するとともに、一方の基板には、それぞれストライプ状に形成された複数の信号電極１２’及び走査電極１３’を備えている。各信号電極１２と各走査電極１３とは、互いに交差するように配置されており、各交差部分に対応してスイッチング素子（図示せず）及び画素電極１４が形成されている。また、他方の基板にはほぼ全面に共通電極（図示せず）が形成されている。
【００６０】
この場合、表示階調は信号電極１２’に印加される信号電圧によって定まるため、電圧モニタ回路４０は、図１の場合と同様に、各信号電極１２’に印加される信号電圧をモニタすることになる。
【００６１】
以上のように、本発明の表示パネル用駆動装置は、印加電圧の実効値に応じた階調表示を行う複数の画素を備えた表示パネル１０・１０’を駆動するものであり、電圧印加手段として機能する信号電極駆動回路２０及び走査電極駆動回路３０と、電圧モニタ手段として機能する電圧モニタ回路４０・４０’と、電圧補正手段として機能する電圧補正回路５０・５０’とを備えている。
【００６２】
信号電極駆動回路２０及び走査電極駆動回路３０は、上記複数の画素を順次繰り返し選択しつつ、選択画素に対して表示すべき階調に応じた電圧を印加する。電圧モニタ回路４０・４０’は、選択画素に対して印加される電圧をモニタする。そして、電圧補正回路５０・５０’は、電圧モニタ回路４０・４０’によるモニタ結果に基づいて、信号電極駆動回路２０又は走査電極駆動回路３０によって印加する電圧を補正する。
【００６３】
これにより、液晶表示装置１では、印加電圧波形の歪みに起因して生じる印加電圧の実効値のズレを補正し、表示階調のズレを抑制した、より適正な表示を実現することができる。
【００６４】
また、液晶表示装置１では、上記モニタ結果に基づいて補正を行っているため、背景技術欄において説明した従来の技術、すなわち、階調信号の階調値を計数して補正量を決定するという技術とは異なり、階調値を用いた複雑な演算を必要とせず、図３に示したような比較的簡単な回路構成によって上記補正を実現することができる。
【００６５】
さらに、液晶表示装置１では、上記モニタ結果に基づいて補正を行っているため、信号電極での信号電圧のスイッチングの影響が走査電極における走査電圧に及ぶことによって発生するクロストークによる表示階調のズレに限らず、種々の原因によって生じる印加電圧波形の歪みによる表示階調のズレを抑制することができる。
【００６６】
なお、図１、図５〜図７では、電圧モニタ回路４０・４０’を、液晶表示パネル１０・１０’を挟んで信号電極駆動回路２０又は走査電極駆動回路３０とは反対側に配置する構成としたが、信号電極駆動回路２０又は走査電極駆動回路３０と同じ側に配置してもよい。ただし、この場合には配線の配置がやや複雑になるため、上記反対側に配置する構成が望ましい。
【００６７】
さらに、電圧モニタ回路４０・４０’を、信号電極駆動回路２０又は走査電極駆動回路３０の内部に組み込む（例えば、１つのＩＣ内部に組み込む。）ようにしてもよい。
【００６８】
本発明は、液晶表示パネルに限らず、印加電圧の実効値に応じた階調表示を行う複数の画素を備えた他の表示パネル、例えばＰＤＰ（プラズマディスプレイパネル）やＥＬ（エレクトロルミネッセンス）表示パネル等にも適用できる。
【００６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７０】
本発明は、例えばパーソナルコンピュータ、ＰＤＡ、携帯電話機、デジタルカメラ等のディスプレイにおいて、表示品位を向上させるために好適に用いることができる。
【図面の簡単な説明】
【００７１】
【図１】本発明の実施の一形態に係る液晶表示装置の構成を示すブロック図である。
【図２】図１の液晶表示装置における信号電圧、走査電圧、画素への印加電圧の関係を示すタイミングチャートである。
【図３】図１の液晶表示装置における電圧モニタ回路の構成を示すブロック図である。
【図４】（ａ）は信号電圧の理想波形を示す波形図であり、（ｂ）は信号電圧の実際の波形を示す波形図であり、（ｃ）は（ｂ）の波形を補正するためにパルス幅を調整する状態を示す波形図であり、（ｄ）は（ｂ）の波形を補正するために振幅を調整する状態を示す波形図である。
【図５】図１の液晶表示装置の一変形例を示すブロック図である。
【図６】図１の液晶表示装置の他の変形例を示すブロック図である。
【図７】図１の液晶表示装置のさらに他の変形例を示すブロック図である。
【符号の説明】
【００７２】
１    液晶表示装置
１０    液晶表示パネル（表示パネル）
１０’  液晶表示パネル（表示パネル）
２０    信号電極駆動回路（電圧印加手段）
３０    走査電極駆動回路（電圧印加手段）
４０    電圧モニタ回路（電圧モニタ手段）
４０’  電圧モニタ回路（電圧モニタ手段）
５０    電圧補正回路（電圧補正手段）
５０’  電圧補正回路（電圧補正手段）
６０    スイッチング回路
【図１】
2007264317.tif 000003
【図２】
2007264317.tif 000004
【図３】
2007264317.tif 000005
【図４】
2007264317.tif 000006
【図５】
2007264317.tif 000007
【図６】
2007264317.tif 000008
【図７】
2007264317.tif 000009